(57)【要約】      （修正有）【課題】故人の思い出を半永久的に保管するのに最適な手元供養具を提供する。【解決手段】遺骨又は遺品を納める手元供養具１１であって、底面部３１と底面部の端から上方に延びる本体側面部３２とを有し、上方に開口している本体３０と、本体３０に蓋をする天面部５１を有する蓋体５０を備える。また、本体３０と蓋体５０を超硬合金で構成し、本体３０と蓋体５０の各縁部分３３等を、該縁部分同士が互いに嵌着する形状に形成して手元供養具１１とする。【選択図】図１
0003176057.tif 000002
【実用新案登録請求の範囲】
【請求項１】
遺骨又は遺品を納める手元供養具であって、
底面部と該底面部の端から上方へ延びる側面部とを有し、上方に開口している本体と、該本体に蓋をする天面部を有する蓋体を備え、
前記本体と前記蓋体を超硬合金で構成し、
前記本体と前記蓋体の各縁部分を該縁部分同士が互いに嵌着する形状に形成した
手元供養具。
【請求項２】
前記本体と前記蓋体の外面をチタンで被覆した
請求項１に記載の手元供養具。
【請求項３】
前記底面部と前記天面部とを略同径の円板状に形成し、前記側面部を円筒状に形成した
請求項１又は２に記載の手元供養具。
【請求項４】
請求項１から３のいずれか１つに記載の手元供養具と、
前記手元供養具が置かれる土台と、該土台に置かれた前記手元供養具を覆い、前記土台に嵌る蓋とを有し、前記土台と前記蓋を石材で構成した収容器を備えた
手元供養具セット。
【請求項５】
前記土台を円板状に形成し、前記蓋を丸屋根状に形成した
請求項４に記載の手元供養具セット。
【請求項６】
前記土台に前記手元供養具を載置する凹部を形成した
請求項４又は５に記載の手元供養具セット。
【考案の詳細な説明】
【技術分野】
【０００１】
この考案は、遺骨や遺品を納め、自宅等、身近に置いて故人を偲ぶ手元供養具に関する。詳しくは、壊れたり傷が付いたりしにくく、また錆、熱にも強く、重量感と荘重感があり、故人の思い出を半永久的に保管するのに最適な手元供養具に関する。
【背景技術】
【０００２】
近年、死生観や供養観が多様化している。また社会事情の変化、すなわち少子高齢化、不景気などの経済的事情等からお墓を所有することが困難な家庭も増えている。
【０００３】
加えて都市部での住宅事情により、自宅の近くにお墓を所有できずまた自宅に仏壇を置けない家庭も増えている。さらに近親者の死によって受ける精神的苦痛を和らげるために、遺骨や遺品を手元に置いておきたいと望む遺族も少なくない。
【０００４】
この様な諸事情を背景に、慰霊の場を身近に設けて故人を偲ぶ手元供養が新しい供養の形式として広まっている。またペットの手元供養も増えてきている。
【０００５】
手元供養に用いられる手元供養具として、例えば先行文献１に開示されている手元供養用骨つぼが挙げられる。  
この手元供養用骨つぼは、アルミニウム合金製で、中空の球体の一部を平面カットして開口させた形状を有し、内部に遺骨や遺品を納める本体と、写真を装着できると共に収容部の蓋となる化粧板と、本体を保持する台座を具備している。
【０００６】
上記構成により、故人を手元で大切に供養するのに相応しい重量感と荘重感を有し、美観的にも優れ、耐食性が良くいつまでも美しさを保つことができるとされている。
【０００７】
しかしアルミニウムは軽い金属であり、これを主成分とするアルミニウム合金も軽量であり、重量感や荘重感の面では必ずしも手元供養具として相応しい材料とはいえない。
【０００８】
しかもアルミニウムは融点の低い柔らかい金属であり、アルミニウム合金は一般にアルミニウムに比べ硬いとはいえ、遺骨や遺品を保護する目的に対しては十分とはいえない。また球体形状を有する本体を台座で保持する構造であるため、安定感に欠ける問題もある。従って上記手元供養用骨つぼは上記手元供養具として必ずしも好適なものとはいえない。
【先行技術文献】
【特許文献】
【０００９】
【特許文献１】登録実用新案第３１５８５１７号公報
【考案の概要】
【考案が解決しようとする課題】
【００１０】
そこで、この考案は、故人の思い出を半永久的に保管するのに最適な手元供養具を提供することを目的とする。
【課題を解決するための手段】
【００１１】
そのための手段は、遺骨又は遺品を納める手元供養具であって、底面部と該底面部の端から上方に延びる側面部とを有し、上方に開口している本体と、該本体に蓋をする天面部を有する蓋体を備え、前記本体と前記蓋体を超硬合金で構成し、前記本体と前記蓋体の各縁部分を該縁部分同士が互いに嵌着する形状に形成した手元供養具である。
【００１２】
前記超硬合金として、炭化タングステン（ＷＣ）に結合剤としてコバルト（Ｃｏ）を混合して焼結した代表的な超硬合金であるＷＣ−Ｃｏ合金の他、ＷＣ−Ｎｉ合金、ＷＣ−Ｎｉ−Ｃｒ合金、ＷＣ−ＴｉＣ−Ｃｏ合金、ＷＣ−ＴａＣ−Ｃｏ合金、ＷＣ−ＴｉＣ−ＴａＣ−Ｃｏ合金、バインダレス合金などを用いることができる。
【００１３】
前記手元供養具は前記本体と前記蓋体を超硬合金で構成している。超硬合金はダイヤモンドに次ぐ高い硬度を有する。このため前記手元供養具は、壊れたり傷が付いたりし難い。
【００１４】
また超硬合金は低温において硬いことはもちろん、高温においても硬度の低下が少ない。このため火災の際にも内部に納められている遺骨や遺品を保護することができる。
【００１５】
さらに超硬合金は表面に錆びが生じ難く、特に結合剤をニッケル（Ｎｉ）としたＷＣ−Ｎｉ合金、ＷＣ−Ｎｉ−Ｃｒ合金を用いた場合は、耐食性が高く錆び難い。しかも金と同程度の重量密度があるため、重量感と荘重感もある。また前記本体は前記底面部を有するため安定した状態で置くことができ、地震が発生しても倒れ難い。  
従って前記手元供養具は遺骨や遺品を保管するのに最適である。
【００１６】
前記本体と前記蓋体の外面をチタンで被覆すると、チタンの酸化物（ＴｉＯ２）が非常に安定で侵され難く白金や金と同程度の強い耐食性を示し、空気中で表面がこの酸化膜で保護されるため、前記手元供養具を変色せず光沢を維持でき、さらに錆び難いものにできる。
【００１７】
前記底面部と前記天面部とを略同径の円板状に形成し、前記側面部を円筒状に形成すると、前記手元供養具は外観が円板状の前記天面部及び前記底面部を有する円筒状の形状を呈する。
【００１８】
このように円筒状に形成することで、「円」は「縁」と同音であるから、故人との縁を大切にする遺族の気持ちを形で表現でき、大切な家族が生きた証を残すのに相応しいものとなる。
【００１９】
またこの考案は、上記いずれかの手元供養具、及び前記手元供養具が置かれる土台と、該土台に置かれた前記手元供養具を覆い、前記土台に嵌る蓋とを有し、前記土台と前記蓋を石材で構成した収容器を備えた手元供養具セットである。
【００２０】
上記石材は、墓石として用いる石材すなわち御影石、安山岩、斑れい岩等、或いは大理石とすることができる。  
前記手元供養具を前記収容器に収容することで、前記手元供養具及びその中に納められている遺骨や遺品を厳重に保護できる。また適度な重量感があり、前記手元供養具セットとして相応しい。
【００２１】
前記土台を円板状に形成し、前記蓋を丸屋根状に形成すると、前記収容器は丸みのある外観を呈し柔らかく優しい印象を与えると共に、「円」は「縁」を連想させ、故人を大切に思う気持ちを形で表現することができる。  
上記円形状には、正面視円形、楕円形、その他丸みのある形状を有する板状が含まれる。
【００２２】
前記土台に前記手元供養具を載置する凹部を形成すると、前記手元供養具を前記土台に対して安定させて置くことができる。
【考案の効果】
【００２３】
この考案により、故人の思い出を半永久的に保管するのに最適な手元供養具を提供することができる。
【図面の簡単な説明】
【００２４】
【図１】本体に蓋体を嵌着した状態の手元供養具の斜視図。
【図２】本体から蓋体を外した状態の手元供養具の斜視図。
【図３】図２におけるＡ−Ａ線切断部端面及びＢ−Ｂ線切断部端面の説明図。
【図４】土台から蓋を外した状態の収容器の斜視図。
【図５】収容器の土台に手元供養具を載置した状態の斜視図。
【図６】手元供養具を収容した状態の収容器の斜視図。
【図７】図６におけるＣ−Ｃ線切断部端面図。
【図８】手元供養具セットの使用状態の一例を示す斜視図。
【考案を実施するための形態】
【００２５】
この考案を実施するための一形態を、以下図面を用いて説明する。  
図１は遺骨や遺品を内部に納めた状態の円筒形の手元供養具１１を示している。図２は本体３０から蓋体５０を外して蓋体５０の天面部５１を下にして置いた状態の手元供養具１１を示している。図３（ａ）は本体３０の中心軸を通る図２のＡ−Ａ線で切断した端面を示し、図３（ｂ）は蓋体５０の中心軸を通る図２のＢ−Ｂ線で切断した端面を示している。
【００２６】
手元供養具１１は、図１から図３に示すように、底面部３１を有し上方に開口している円筒状の本体３０と、本体３０と略同形の円筒状で天面部５１を有し開口している蓋体５０とで構成されている。本体３０と蓋体５０は材料として超硬合金が用いられている。また本体３０と蓋体５０の各縁部分３３，５３は互いに嵌着する形状に形成されている。
【００２７】
詳しくは、手元供養具１１は、図１に示すように、本体３０と蓋体５０を装着した状態で、外観が底面及び天面を有し、横幅に比べて高さの低い偏平な円筒形状を呈する。また手のひらに載る程度の大きさに形成されている。この内部に遺骨や遺品が納められる。
【００２８】
本体３０は平らな円板状に形成された底面部３１と、底面部３１の端から鉛直上方に延びる円筒状の本体側面部３２とで構成されている。底面部３１はその直径の一割弱程度の厚みを有する。本体側面部３２は全周にわたって一様な高さを有し、その高さの半分程度の厚みを有する。
【００２９】
蓋体５０の天面部５１は、本体３０の底面部３１と同一の直径と同程度の厚みを有する平らな円板状に形成されている。また蓋体５０は、図１において天面部５１の端から鉛直下方に延びる円筒状の蓋体側面部５２を有している。
【００３０】
蓋体側面部５２も全周にわたって一様な高さを有する。本体側面部３２と蓋体側面部５２は略同一の高さに形成され、また径方向の厚みを一致させて形成されている。
【００３１】
本体側面部３２の縁部分３３及び蓋体側面部５２の縁部分５３には、夫々、互いに嵌着する嵌着凸部３４及び嵌着凹部５４が形成されている。嵌着凸部３４及び嵌着凹部５４は、全周にわたって周方向に一様な形状に形成されている。
【００３２】
本体３０の嵌着凸部３４は、図２及び図３（ａ）に示すように、径方向の厚みが本体側面部３２の他の部分３５よりも薄く形成されている。  
嵌着凸部３４の径内側面３４ｉは、本体側面部３２の他の部分３５の径内側面３５ｉよりも径外側にあり、嵌着凸部３４の径外側面３４ｅは、本体側面部３２の他の部分３５の径外側面３５ｅよりも径内側にある。
【００３３】
すなわち本体側面部３２の径方向に沿った任意の切断面は凸形状となっている。嵌着凸部３４の上端面３６、及び嵌着凸部３４と本体側面部３２の他の部分３５の間の径内側の段面３７ｉと径外側の段面３７ｅは水平に形成されている。
【００３４】
一方、蓋体５０の嵌着凹部５４は、図２及び図３（ｂ）に示すように、径方向に沿った任意の切断面が径方向に互いに向き合う径内側の側壁５４ｉと径外側の側壁５４ｅを有する凹形状となっている。
【００３５】
径内側の側壁５４ｉと径外側の側壁５４ｅは、嵌着凸部３４の径方向の厚みと同一の間隔だけ径方向に隔てられている。また嵌着凹部５４は嵌着凸部３４の高さと同一の深さを有している。
【００３６】
径内側の側壁５４ｉの径方向の厚みは、本体側面部３２の径内側の段面３７ｉの径方向の幅と一致し、同様に径外側の側壁５４ｅの径方向の厚みは、径外側の段面３７ｅの径方向の幅と一致している。また嵌着凹部５４の図２及び図３における上端面５６及び嵌着凹部５４の底面５７は水平に形成されている。
【００３７】
さらに本体３０に蓋体５０を装着した状態において、本体３０及び蓋体５０の外面３８，５８となる面は、チタンで一様な厚みに被覆されており、手元供養具１１は外観が光沢のある黄金色を呈する。  
なお、蓋体３０の天面部５１の上面に「絆」、「結」等適宜の文字をプレス成形や刻印してもよい。
【００３８】
上述の手元供養具１１を収容する収容器７１は、図４に示すように、手元供養具１１が載置される土台８０と、載置した手元供養具１１を覆うと共に土台８０に嵌る蓋９０とで構成されている。土台８０及び蓋９０は例えば御影石などの石材を材料として用いている。
【００３９】
詳しくは、土台８０は楕円形の板状に形成されており、手元供養具１１の全体の高さ程度の適度な厚みを有し、下面８２は平坦であり、上面８１も水平な形状に形成されている。
【００４０】
土台８０の上面８１の外周縁８０ｅからやや径内側には、蓋９０と嵌合する嵌合凸部８３が設けられている。嵌合凸部８３は土台８０の外周縁８０ｅから一定距離だけ径内側の位置に、外周縁８０ｅに沿って一様に設けられている。嵌合凸部８３は縦断面が略台形状に形成されている。これに限らず方形状、半円形状等適宜の形状に形成してもよい。
【００４１】
嵌合凸部８３の径内側には手元供養具１１を載置するための載置凹部８５が設けられている。載置凹部８５は、載置する手元供養具１１の径よりやや大きい径を有する平面視円形の凹状に形成されている。
【００４２】
手元供養具１１は、図５に示すように、土台８０の載置凹部８５に載置される。載置凹部８５は図示例では２箇所に設けられているが、１箇所のみ又は３箇所以上設けた態様であってもよい。  
また土台８０の長径方向の両端には、土台８０に嵌った蓋９０を持ち上げるための凹状の引っ掛け部８６が設けられている。
【００４３】
一方、蓋９０は丸屋根状に形成されており、土台８０の外周縁８０ｅから嵌合凸部８３の外周縁８３ｅまでの距離と同程度の厚みを有している。特に蓋９０の外周縁９０ｅは土台８０の外周縁８０ｅと一致する形状及び大きさに形成されていると共に、蓋９０の内周縁９０ｉは土台８０の嵌合凸部８３の外周縁８３ｅと一致する形状及び大きさに形成されている。
【００４４】
また蓋９０は内部に手元供養具１１の収容を許容する高さに形成されている。蓋９０の外周縁９０ｅと内周縁９０ｉの間の下端面９３は水平に形成されている。  
蓋９０は土台８０に対して、蓋９０の下端面９３が土台８０の上面８１における外周縁８０ｅから嵌合凸部８３の外周縁８３ｅまでの当接面８４に当接すると共に、蓋９０の内側面９４が嵌合凸部８３の径外側の側面８７に当接する態様で、嵌められる。
【００４５】
蓋９０を土台８０に嵌めた状態で、蓋９０の外周縁９０ｅと土台８０の外周縁８０ｅとが一致し、蓋９０の内周縁９０ｉと土台８０の嵌合凸部８３の外周縁８３ｅとが一致する。
【００４６】
土台８０の載置凹部８５に手元供養具１１を載置し、土台８０に蓋９０を嵌めると、土台８０の長径に沿った縦切断端面は図７に示すようになる。手元供養具１１の嵌着凸部３４に嵌着凹部５４が隙間無く嵌着されている。また嵌着部分の径外側及び径内側の表面には段差が生じない。
【００４７】
土台８０と蓋９０も隙間無く当接して嵌められている。また土台８０の載置凹部８５に載置された手元供養具１１と、蓋９０の間には空間が生じる。  
上述の手元供養具１１と収容器７１とで構成する手元供養具１１セットは、例えば図８に示すようにして使用される。
【００４８】
以上のように構成された手元供養具１１、及び手元供養具セット２１は、以下に述べる作用効果を奏する。
【００４９】
手元供養具１１は本体３０と蓋体５０を超硬合金で構成している。超硬合金はダイヤモンドに次ぐ高い硬度を有する。このため手元供養具１１は、壊れたり傷が付いたりし難い。
【００５０】
また超硬合金は低温において硬いことはもちろん、高温においても硬度の低下が少ない。このため火災の際にも内部に納められている遺骨や遺品を保護することができる。
【００５１】
さらに超硬合金は表面に錆びが生じ難く、特に結合剤をニッケル（Ｎｉ）としたＷＣ−Ｎｉ合金、ＷＣ−Ｎｉ−Ｃｒ合金を用いた場合は、耐食性が高く錆び難い。しかも金と同程度の重量密度があるため、重量感と荘重感もある。
【００５２】
これに加えて手元供養具１１は、本体３０が平らな底面部３１を有し、底面部３１及び天面部５１の直径に比べて高さが低い偏平な形状である。このため、重心が低く安定した状態で置くことができ、地震が発生しても倒れ難い。
【００５３】
また本体３０と蓋体５０の外面３８，５８はチタンで被覆されている。チタンの酸化物（ＴｉＯ２）は非常に安定で侵され難く、白金や金と同程度の強い耐食性を示し、空気中で表面がこの酸化膜で保護される。このため前記手元供養具１１を変色せず光沢を維持でき、さらに錆び難いものにできる。
【００５４】
さらにチタン特有の金属光沢により、手元供養具１１は美しい外観を呈することができる。しかも被覆されるチタンの厚みを調整して様々な色にすることもできる。
【００５５】
また手元供養具１１は外観が円板状の天面部５１及び底面部３１を有する円筒状の形状を呈する。このように円形状に形成しており、「円」は「縁」と同音であるから、故人との縁を大切にする遺族の気持ちを形で表現でき、大切な家族が生きた証を残すのに相応しいものとなる。
【００５６】
さらに手元供養具１１は、本体３０の嵌着凸部３４と蓋体５０の嵌着凹部５４が隙間無く互いに嵌まることで、本体３０に蓋体５０が嵌着する構造である。  
このため、地震の揺れなどによって手元供養具１１が倒れたり落下したりしても、蓋体５０が本体３０から外れ難く、納められている遺骨や遺品が散乱したりすることを回避できる。また火災が起きても手元供養具１１の内部に炎が侵入し難く遺品等の消失を回避できる。
【００５７】
手元供養具セット２１は、手元供養具１１が置かれる土台８０と、土台８０に置かれた手元供養具１１を覆い、土台８０に嵌る蓋９０とで構成する収容器７１を備えている。また土台８０と蓋９０を石材で構成している。このため手元供養具１１を収容器７１に収容することで、手元供養具１１及びその中に納められている遺骨や遺品を厳重に保護できる。
【００５８】
さらに上述のように収容器の土台８０と蓋９０は石材で構成されていると共に、手元供養具１１を収納器７１に収容した状態で、手元供養具１１と収納器７１の蓋９０の間に空間が存在する。
【００５９】
石材は燃えない上に一般に金属に比べ熱伝導率が格段に低く、空気は熱伝導率が石材に比べてさらに格段に低い。また収容器７１は密閉されているため炎が収容器７１の内部に侵入しない。  
このため火災が起きても熱が遺品等に伝わり難く、遺品等の消失を回避できる。また適度な重量感もある。従って手元供養具セット２１として相応しい。
【００６０】
また土台８０が楕円板状に形成されると共に蓋９０が丸屋根状に形成されているため、収容器７１は丸みのある外観を呈し柔らかく優しい印象を与えると共に、「円」は「縁」を連想させ、故人を大切に思う気持ちを形で表現することができる。  
また土台８０に手元供養具１１を載置する載置凹部８５が形成されているので、手元供養具１１を土台８０に対して安定させて置くことができる。
【００６１】
この考案の構成と、上述の実施形態との対応において、
本体の側面部は、本体側面部３２に対応し、
手元供養具を載置する凹部は、載置凹部８５に対応するも
この考案は、上述の実施形態の構成のみに限定されるものではなく、多くの実施の形態を得ることができる。
【００６２】
例えば、手元供養具１１及び収容器７１を直方体状に形成してもよい。また本体３０と蓋体５０の外面３８，５８を被覆しているチタンの厚みを変更して、手元供養具１１の外観の色を変更したものであってもよい。  
なお、この考案に係る手元供養具１１及び手元供養具セット２１は、故人の手元供養に限らず、ペットの手元供養としても利用できる。
【符号の説明】
【００６３】
１１…手元供養具
２１…手元供養具セット
３０…本体
３１…底面部
３２…本体側面部
３３…縁部分
３８…外面
５０…蓋体
５１…天面部
５３…縁部分
５８…外面
７１…収容器
８０…土台
８５…載置凹部
９０…蓋
【図１】
0003176057.tif 000003
【図２】
0003176057.tif 000004
【図３】
0003176057.tif 000005
【図４】
0003176057.tif 000006
【図５】
0003176057.tif 000007
【図６】
0003176057.tif 000008
【図７】
0003176057.tif 000009
【図８】
0003176057.tif 000010